(57)【要約】      （修正有）【課題】機能が多様、着脱が便利であり、構造が安定し、使用が柔軟な多機能子母枕を提供する。【解決手段】多機能子母枕は、ベース１と、ベース１上に取り外し可能に取り付けされた機能枕２と、ベース１及び機能枕２を接続するための着脱部材３とを含む。ユーザは、実際の使用状況に応じて、適切な材料、タイプの機能枕２を選択する。機能が多様、着脱が便利であり、構造が安定し、使用が柔軟であるという利点を有する。【選択図】図１
0003230577.tif 000002
【実用新案登録請求の範囲】
【請求項１】
ベース（１）と、
前記ベース（１）上に取り外し可能に取り付けされた機能枕（２）と、
前記ベース（１）及び前記機能枕（２）を接続するための着脱部材（３）と、
を含むことを特徴とする多機能子母枕。
【請求項２】
前記ベース（１）は、長手方向に沿った断面が「凹」字形であることを特徴とする請求項１に記載の多機能子母枕。
【請求項３】
前記機能枕（２）は、長手方向に沿った断面が前記ベース（１）に合わせた逆「凸」字形であることを特徴とする請求項２に記載の多機能子母枕。
【請求項４】
前記着脱部材（３）は、
前記ベース（１）上に設けられ、短手方向に対称に設置された取り付けスライドレール（３１）と、
前記機能枕（２）上に設けられ、前記取り付けスライドレール（３１）と嵌着される取り付けバー（３２）と、
前記機能枕（２）と前記ベース（１）の両側に設けられ、互いに貼着するためのマジックテープ（登録商標）ループ面（３３）及びマジックテープ（登録商標）フック面（３４）とを含み、
前記取り付けスライドレール（３１）及び前記取り付けバー（３２）は、それぞれ前記ベース（１）、前記機能枕（２）の中央面に設けられていることを特徴とする請求項３に記載の多機能子母枕。
【請求項５】
前記ベース（１）の硬度は前記機能枕（２）の硬度より大きいことを特徴とする請求項１に記載の多機能子母枕。
【請求項６】
前記機能枕（２）の材料はポリウレタンスローリバウンドスポンジ、ラテックス、ソバ、ダウン、コットンのいずれかであることを特徴とする請求項１に記載の多機能子母枕。
【請求項７】
前記機能枕（２）はＢ型枕、頸椎枕、通常の枕のいずれかであることを特徴とする請求項１に記載の多機能子母枕。
【考案の詳細な説明】
【技術分野】
【０００１】
本考案は、寝具製品の技術分野に関し、具体的に多機能子母枕に関する。
【背景技術】
【０００２】
従来、枕はすべての家族にとって不可欠な寝具であり、通常、枕は、枕カバーと、枕カバーに組み入られた枕コアとを含み、使用時、ユーザは頭を枕の上に置く必要があるが、枕の高さ、柔らかさ、および形状に対する要件はユーザによって異なるため、様々なタイプの枕が必要である。
【０００３】
しかし、市場で販売されている枕は一般的に一定であり、様々なタイプの人々のニーズを満たすのは困難である。そして人々の生活のペースが加速し、仕事と勉強のストレスが高まるにつれて、頸椎症の発生率は年々高まっており、ますます若者化の発展傾向が見られ、この時、救済治療のための特別な頸椎枕が必要である。従って、さまざまな条件下でユーザのニーズを満たすために、多機能子母枕を提供する必要がある。
【考案の概要】
【考案が解決しようとする課題】
【０００４】
本考案の目的は、従来の技術欠陥と不足に対して、機能が多様、着脱が便利であり、構造が安定し、使用が柔軟であるという利点を有する多機能子母枕を提供することである。
【課題を解決するための手段】
【０００５】
上記目的を達成するために、本考案に採用された技術案は、ベースと、前記ベース上に取り外し可能に取り付けされた機能枕と、前記ベース及び前記機能枕を接続するための着脱部材とを含む多機能子母枕である。
【０００６】
本考案のさらなる設定では、前記ベースは、長手方向に沿った断面が「凹」字形である。
【０００７】
本考案のさらなる設定では、前記機能枕は、長手方向に沿った断面が前記ベースに合わせた逆「凸」字形である。
【０００８】
本考案のさらなる設定では、前記着脱部材は、前記ベース上に設けられ、短手方向に対称に設置された取り付けスライドレールと、前記機能枕上に設けられ、前記取り付けスライドレールと嵌着される取り付けバーと、前記機能枕と前記ベースの両側に設けられ、互いに貼着するためのマジックテープ（登録商標）ループ面及びマジックテープ（登録商標）フック面とを含み、前記取り付けスライドレール及び前記取り付けバーは、それぞれ前記ベース、前記機能枕の中央面に設けられている。
【０００９】
本考案のさらなる設定では、前記ベースの硬度は前記機能枕の硬度より大きい。
【００１０】
本考案のさらなる設定では、前記機能枕の材料はポリウレタンスローリバウンドスポンジ、ラテックス、ソバ、ダウン、コットンのいずれかである。
【００１１】
本考案のさらなる設定では、前記機能枕はＢ型枕、頸椎枕、通常の枕のいずれかである。
【考案の効果】
【００１２】
上記技術案によれば、本考案は下記の有益効果を有する。
【００１３】
１、本考案では、ベースと、ベース上に取り外し可能に組み立てられた機能枕とを設置することにより、様々な使用環境での使用ニーズ及び様々なユーザの使用ニーズを満たすように、ユーザは、使用時、実際のニーズに応じて対応する機能枕を選択することができる。着脱部材によって機能枕及びベースを着脱する方法は、簡単で便利であり、使用が柔軟である。
【００１４】
２、本考案では、ベース及び機能枕の長手方向に沿った断面はそれぞれ「凹」字形、逆「凸」字形であり、着脱部材の作用によりさらに固定され、これにより、ベース及び機能枕は、安定的に組み立てることができ、使用時に変位しにくいので、より良い睡眠効果を確保することができる。
【図面の簡単な説明】
【００１５】
本考案の実施例又は従来技術における技術案をより明らかに説明するために、以下、実施例又は従来技術の説明に必要な図面を簡単に説明し、明らかなように、以下に説明する図面は本考案の一部の実施例に過ぎず、当業者にとっては、創造的な労働がない前提で、これらの図面に基づいて他の図面を得ることができる。
【図１】本考案の構造模式図である。
【図２】本考案の他の構造模式図である。
【図３】本考案の側面図である。
【考案を実施するための形態】
【００１６】
以下、図面を参照しながら本考案をさらに詳細に説明する。
【００１７】
本特定実施例は単に本考案を説明するためのものであり、本考案を限定するものではなく、当業者は本明細書を読んだ上で、必要に応じて本実施例に対して創造性のない変更を行うことができ、本考案の実用新案登録請求の範囲に属する限り、実用新案法の保護対象となる。
【００１８】
本実施例は多機能子母枕に関し、図１−３に示すように、ベース１と、ベース１上に取り外し可能に取り付けされた機能枕２と、ベース１及び機能枕２を接続するための着脱部材３とを含む。使用・販売時、それぞれの多機能子母枕は、１つのベース１及び複数の交換用の機能枕２を含み、ベース１が確実な支持・取り付け作用を維持するように、ベース１の硬度は機能枕２の硬度より大きく、機能枕２の材料はポリウレタンスローリバウンドスポンジ、ラテックス、ソバ、ダウン、コットンのいずれかであり、機能枕２のタイプは、Ｂ型枕、頸椎枕、通常の枕のいずれかである。従って、使用時、様々なユーザのニーズ、様々な使用環境でのニーズを満たすように、ユーザは、実際の使用状況に応じて、適切な材料、タイプの機能枕２を選択することができ、使用は非常に柔軟である。
【００１９】
図１及び図２に示すように、ベース１は、長手方向に沿った断面が「凹」字形であり、機能枕２は、長手方向に沿った断面がベース１に合わせた逆「凸」字形である。ベース１及び機能枕２が着脱部材３によって組み立てられると、ベース１及び機能枕２は互いに嵌合し、使用中に、長手方向に変位しにくい。
【００２０】
本考案では、図１及び図２に示すように、着脱部材３は、ベース１上に設けられ、短手方向に対称に設置された取り付けスライドレール３１と、機能枕２上に設けられ、取り付けスライドレール３１と嵌着される取り付けバー３２と、機能枕２とベース１の両側に設けられ、互いに貼着するためのマジックテープ（登録商標）ループ面３３及びマジックテープ(登録商標)フック面３４とを含み、取り付けスライドレール３１及び取り付けバー３２は、それぞれベース１、機能枕２の中央面に設けられている。取り付けスライドレール３１にはＴ字状の溝が設けられており、かつ取り付けスライドレール３１の一方の端は開放されており、取り付けバー３２が取り付けスライドレール３１の一側から挿入され、取り付けスライドレール３１の長手方向に沿って組み立てられ、取り付けスライドレール３１の他方の端は閉じており、取り付けバー３２が他方の側から抜けないようになる。取り付けスライドレール３１及び取り付けバー３２を組み立てた後、機能枕２及びベース１の両側のマジックテープ（登録商標）ループ面３３及びマジックテープ（登録商標）フック面３４を貼着して、機能枕２及びベース１をさらに制限することにより、機能枕２及びベース１が短手方向に変位することを防ぎ、全体的な構造安定性を確保し、ユーザにより良い体験を提供する。
【００２１】
ただし、ベース１及び機能枕２は、いずれも外部に枕カバーが設けられて包まれており、取り付けスライドレール３１及び取り付けバー３２、並びにマジックテープ（登録商標）ループ面３３及びマジックテープ（登録商標）フック面３４は、いずれも枕カバー上に取り付けられている。図２に示すように、取り付けスライドレール３１及び取り付けバー３２の取り付けをさらに容易にするために、機能枕２及びベース１に対応する枕カバー上には取り付けバー３２及び取り付けスライドレール３１を取り付けるための当接板３５がそれぞれ設けられ、当接板３５、取り付けバー３２及び取り付けスライドレール３１は、いずれも熱可塑性材料であり、当接板３５は、一方で、取り付けバー３２及び取り付けスライドレール３１の迅速な組み立てを容易にすることができ、他方で、使用中に取り付けバー３２及び取り付けスライドレール３１によって引き起こされる異物感を低減し、睡眠体験を改善することができる。
【００２２】
本考案の動作原理は大まかに以下のとおりである。本実施例では、ベース１と、ベース１上に取り外し可能に組み立てられた機能枕２とを設置することにより、様々な使用環境での使用ニーズ及び様々なユーザの使用ニーズを満たすように、使用時、実際のニーズに応じて対応する機能枕２を選択することができる。かつ、着脱部材３によって機能枕２及びベース１を着脱する方法は、簡単で便利であり、使用が柔軟である。ベース１及び機能枕２の長手方向に沿った断面はそれぞれ「凹」字形、逆「凸」字形であり、着脱部材３の作用によりさらに固定され、これにより、ベース１及び機能枕２は、安定的に組み立てることができ、使用時に変位しにくいので、より良い睡眠効果を確保することができる。同時に、ユーザによるさまざまな種類の枕の購入がある程度削減され、購入コストの節約につながる。
【００２３】
以上、本考案の技術案を説明するためのものであり、限定するものではなく、当業者が本考案の技術案に対して行う他の変更や同等置換は、本考案の技術案の精神及び範囲を逸脱しない限り、本考案の実用新案登録請求の範囲に属する。
【符号の説明】
【００２４】
１：ベース、２：機能枕、３：着脱部材、３１：取り付けスライドレール、３２：取り付けバー、３３：マジックテープ（登録商標）ループ面、３４：マジックテープ（登録商標）フック面、３５：当接板
【図１】
0003230577.tif 000003
【図２】
0003230577.tif 000004
【図３】
0003230577.tif 000005
【手続補正書】
【提出日】令和2年11月30日(2020.11.30)
【手続補正１】
【補正対象書類名】実用新案登録請求の範囲
【補正対象項目名】全文
【補正方法】変更
【補正の内容】
【実用新案登録請求の範囲】
【請求項１】
ベース（１）と、
前記ベース（１）上に取り外し可能に取り付けされた機能枕（２）と、
前記ベース（１）及び前記機能枕（２）を接続するための着脱部材（３）と、
を含むことを特徴とする多機能子母枕。
【請求項２】
前記ベース（１）は、長手方向に沿った断面が「凹」字形であることを特徴とする請求項１に記載の多機能子母枕。
【請求項３】
前記機能枕（２）は、長手方向に沿った断面が前記ベース（１）に合わせた逆「凸」字形であることを特徴とする請求項２に記載の多機能子母枕。
【請求項４】
前記着脱部材（３）は、
前記ベース（１）上に設けられ、短手方向に対称に設置された取り付けスライドレール（３１）と、
前記機能枕（２）上に設けられ、前記取り付けスライドレール（３１）と嵌着される取り付けバー（３２）と、
前記機能枕（２）と前記ベース（１）の両側に設けられ、互いに貼着するための面ファスナーループ面（３３）及び面ファスナーフック面（３４）とを含み、
前記取り付けスライドレール（３１）及び前記取り付けバー（３２）は、それぞれ前記ベース（１）、前記機能枕（２）の中央面に設けられていることを特徴とする請求項３に記載の多機能子母枕。
【請求項５】
前記ベース（１）の硬度は前記機能枕（２）の硬度より大きいことを特徴とする請求項１に記載の多機能子母枕。
【請求項６】
前記機能枕（２）の材料はポリウレタンスローリバウンドスポンジ、ラテックス、ソバ、ダウン、コットンのいずれかであることを特徴とする請求項１に記載の多機能子母枕。
【請求項７】
前記機能枕（２）はＢ型枕、頸椎枕、通常の枕のいずれかであることを特徴とする請求項１に記載の多機能子母枕。